(57)【要約】【課題】  通信網で構成されたマーケット上への出品予約を可能にする。【解決手段】  通信網で構成されるマーケット上に対象商品を出品する出品装置であって、対象商品の商品情報を入力する商品情報入力部と、対象商品の取引を規制する期間を設定する期間設定部と、前記商品情報入力部及び期間設定部で入力された出品情報を登録する出品予約登録部と、前記期間設定部で設定された期間を管理し、前記期間が経過した時点で解除信号を出力する期間管理部と、前記期間管理部が出力する前記解除信号を受けて対象商品の取引規制を解除する取引制御部と、を有する。【選択図】図１
2018147298.tif 000002
【特許請求の範囲】
【請求項１】
通信網で構成されるマーケット上に対象商品を出品する出品装置であって、
前記対象商品の商品情報を入力する商品情報入力部と、
前記対象商品の取引を規制する期間を設定する期間設定部と、
前記商品情報入力部及び前記期間設定部で入力された出品情報を登録する出品予約登録部と、
前記期間設定部で設定された期間を管理し、前記期間が経過した時点で解除信号を出力する期間管理部と、
前記期間管理部が出力する前記解除信号を受けて前記対象商品の取引規制を解除する取引制御部と、を有することを特徴とする出品装置。
【請求項２】
前記対象商品の取引を規制した出品をユーザに選択させる出品予約選択部を有することを特徴とする請求項１に記載の出品装置。
【請求項３】
前記出品予約選択部で出品予約が選択された前記対象商品を一覧掲示する出品予約掲示部を有することを特徴とする請求項２に記載の出品装置。
【請求項４】
前記期間管理部が出力する前記解除信号を受けて前記対象商品の出品情報を公開して掲載する掲載部を有することを特徴とする請求項１に記載の出品装置。
【請求項５】
前記掲載部は、前記対象商品の商品情報が公開される事実をユーザに通知する機能を有するものであることを特徴とする請求項４に記載の出品装置。
【請求項６】
前記期間設定部は、前記対象商品を出品するまでの非公開の期間をユーザが設定させるものであることを特徴とする請求項１に記載の出品装置。
【請求項７】
前記マーケット上で前記対象商品が購入され、購入ユーザに紐付く購入履歴からの前記出品予約を行う場合、前記商品情報入力部は、前記購入ユーザによる前記出品予約の指示に基づいて、予め入力されている前記対象商品の前記商品情報を転用して入力するものであることを特徴とする請求項１に記載の出品装置。
【請求項８】
前記出品予約に対する報酬としてポイントを付与するポイント付与部を有することを特徴とする請求項１に記載の出品装置。
【請求項９】
端末で入力される商品情報をサーバで構成されるマーケット上に掲載して対象商品を出品するためのプログラムであって、
前記端末のコンピュータに、
前記対象商品の前記商品情報を入力する機能と、
前記対象商品の取引を規制する期間を設定する機能と、を実行させることを特徴とするプログラム。
【請求項１０】
端末で入力される商品情報をサーバで構成されるマーケット上に掲載して前記対象商品を出品するためのプログラムであって、
前記サーバのコンピュータに、
前記端末で入力された出品情報を登録する機能と、
前記設定された期間を管理し、前記期間が経過した時点で解除信号を出力する機能と、
前記出力される前記解除信号を受けて前記対象商品の取引規制を解除する機能と、を実行させることにより、
端末側で取引規制された前記対象商品を前記マーケット上に出品することを特徴とするプログラム。
【請求項１１】
通信網で構成されるマーケット上に対象商品を出品する出品方法であって、
前記対象商品の商品情報を入力するステップと、
前記対象商品の取引を規制する期間を設定するステップと、
前記設定された期間を管理し、前記期間が経過した時点で解除信号を出力するステップと、
前記出力される前記解除信号を受けて前記対象商品の取引規制を解除するステップと、を実行することを特徴とする出品方法。
【発明の詳細な説明】
【技術分野】
【０００１】
本発明は、通信網で構成されたマーケット上への出品予約を可能にした出品装置、出品方法及びプログラムに関する。
【背景技術】
【０００２】
近年、インターネットなどの通信網で構成されたフリーマーケットサービスやインターネットオークション等のサイトを利用して個人間取引が行われている。出品者はフリーマーケットやオークション等の個人間取引サイト（マーケット）に物品を登録して出品を行い、購入者は個人間取引サイト（マーケット）に出品されている物品に対して購入を行い、購入が確定し次第、出品者は速やかに物品を発送し、購入者が受け取り、双方評価する、というのが一般的な個人間取引サイト（マーケット）での個人間取引の流れである。
【０００３】
ここで、従来の個人間取引サイト（マーケット）では、前述した購入から評価までの流れを速やかに行うことに主眼を置いているため、出品者としては即時発送が可能な物品を個人間取引サイト（マーケット）に出品するのが一般的である。
【先行技術文献】
【特許文献】
【０００４】
【特許文献１】特開２０１４−１８２５２２号公報
【発明の概要】
【発明が解決しようとする課題】
【０００５】
上述した個人間取引サイト（マーケット）では、物品が購入されると同時に、出品者が速やかに物品の発送を行わなければならないため、即時発送が可能である物品の出品のみ可能となっていた。従って、出品者が出品を予定していても、即時発送できない物品の出品処理を行えないシステムであった。
【０００６】
特許文献１には、インターネットを介した個人間商品取引に関するシステムが開示されている。購入履歴から購入商品の出品を約束する「出品約束」という機能と、「出品約束」に対する報酬としての特典付与手段を有しており、出品者の出品を促す点が開示されている。しかしながら、特許文献１の「出品約束」の対象となる商品は、購入商品の早期出品を促すための特典付与手段を主体としており、「出品約束」が可能な商品は、該当システム上の購入品に限られ、出品者が任意の商品（マーケット上で購入していない商品を含む）の出品の予約を希望する場合に対処できなかった。すなわち、物品の出品に対する管理権限はマーケットを運用するサイト運営者にあった。
【０００７】
そこで、本発明は、任意の商品（マーケット上で購入していない商品を含む）を、任意の出品日に出品する出品予約登録機能と、出品日の期間管理を行う期間管理機能と、取引規制を解除する取引制御機能を備えることにより、出品者側に物品の出品に関する管理権限を付与することにより、上記問題を解決することを目的とする。
【課題を解決するための手段】
【０００８】
本発明における出品装置は、通信網で構成されるマーケット上に対象商品を出品する出品装置であって、対象商品の商品情報を入力する商品情報入力部と、対象商品の取引を規制する期間を設定する期間設定部と、前記商品情報入力部及び期間設定部で入力された出品情報を登録する出品予約登録部と、前記期間設定部で設定された期間を管理し、前記期間が経過した時点で解除信号を出力する期間管理部と、前記期間管理部が出力する前記解除信号を受けて対象商品の取引規制を解除する取引制御部と、を有することを特徴とする。
【０００９】
本発明における出品装置は、対象商品の取引を規制した出品をユーザに選択させる出品予約選択部を有することを特徴とする。
【００１０】
本発明における出品装置は、前記出品予約選択部で出品予約が選択された対象商品を一覧掲示する出品予約掲示部を有することを特徴とする。
【００１１】
本発明における出品装置は、前記期間管理部が出力する前記解除信号を受けて対象商品の出品情報を公開して掲載する掲載部を有することを特徴とする。
【００１２】
本発明における出品装置の前記掲載部は、前記対象商品の商品情報が公開される事実をユーザに通知する機能を有するものであることを特徴とする。
【００１３】
本発明における出品装置の前記期間設定部は、対象商品を出品するまでの非公開の期間をユーザに設定させるものであることを特徴とする。
【００１４】
本発明における出品装置は、前記マーケット上で前記対象商品が購入され、購入ユーザに紐付く購入履歴からの前記出品予約を行う場合、前記商品情報入力部は、前記購入ユーザによる前記出品予約の指示に基づいて、予め入力されている対象商品の商品情報を転用して入力するものであることを特徴とする。
【００１５】
本発明における出品装置は、前記出品予約に対する報酬としてポイントを付与するポイント付与部を有することを特徴とする。
【００１６】
本発明における出品プログラムは、端末で入力される商品情報をサーバで構成されるマーケット上に掲載して対象商品を出品するためのプログラムであって、前記端末のコンピュータに、対象商品の商品情報を入力する機能と、対象商品の取引を規制する期間を設定する機能と、を実行させることを特徴とする。
【００１７】
本発明における出品プログラムは、端末で入力される商品情報をサーバで構成されるマーケット上に掲載して対象商品を出品するためのプログラムであって、前記サーバのコンピュータに、前記端末で入力された出品情報を登録する機能と、前記設定された期間を管理し、前記期間が経過した時点で解除信号を出力する機能と、前記出力される前記解除信号を受けて対象商品の取引規制を解除する機能と、を実行させることにより、端末側で取引規制された対象商品を前記マーケット上に出品することを特徴とする。
【００１８】
本発明における出品方法は、通信網で構成されるマーケット上に対象商品を出品する出品方法であって、対象商品の商品情報を入力するステップと、対象商品の取引を規制する期間を設定するステップと、前記設定された期間を管理し、前記期間が経過した時点で解除信号を出力するステップと、前記出力される前記解除信号を受けて対象商品の取引規制を解除するステップと、を実行することを特徴とする。
【発明の効果】
【００１９】
本発明によれば、通信網で構成されるマーケット上で、出品を希望する任意の商品（マーケット上で購入していない商品を含む）の商品情報を入力し、期間設定部で出品日が設定されることにより、出品の予約登録が可能となっている。出品日が到来すると解除信号を出力し、取引規制を解除し取引可能な状態となるため、ユーザは出品を希望する商品の属性に応じて出品予約をすることができる。このため、物品の出品に関する管理権限が従来のサイト運営者から出品者に移行することとなり、出品者の意図を反映することができ、サイト運営者を仲介した個人間取引に新たな個人間取引の形態を提供することができ、個人間取引の形態を拡充することができる。
【図面の簡単な説明】
【００２０】
【図１】本発明の実施形態１に係る出品装置の機能ブロック図である。
【図２】本発明の実施形態１に係る出品装置の処理フロー図である。
【図３】本発明の実施形態２に係る出品予約選択部を有する出品装置の機能ブロック図である。
【図４】本発明の実施形態２に係る出品予約選択部を有する出品装置の処理フロー図である。
【図５】本発明の実施形態３に係る出品予約掲示部を有する出品装置の機能ブロック図である。
【図６】本発明の実施形態３に係る出品予約掲示部を有する出品装置の処理フロー図である。
【図７】本発明の実施形態４に係る掲載部を有する出品装置の機能ブロック図である。
【図８】本発明の実施形態４に係る掲載部を有する出品装置の処理フロー図である。
【図９】本発明の実施形態５に係る通知部を有する出品装置の処理フロー図である。
【図１０】本発明の実施形態６に係るユーザに期間を設定させる出品装置の処理フロー図である。
【図１１】本発明の実施形態７に係る購入履歴から出品予約を行う出品装置の機能ブロック図である。
【図１２】本発明の実施形態７に係る購入履歴から出品予約を行う出品装置の処理フロー図である。
【図１３】本発明の実施形態８に係るポイント付与部を有する出品装置の機能ブロック図である。
【図１４】本発明の実施形態８に係るポイント付与部を有する出品装置の処理フロー図である。
【図１５】ユーザが操作するアプリケーションの画面を示す図であり、出品情報入力画面５１は出品情報を入力するための画面、出品完了画面５２は出品予約登録又は出品登録を完了した場合の画面を示す図である。
【図１６】ユーザが操作する端末２への通知機能を示す図であり、通知画面５３は出品確認通知設定をオフにしており自動出品がなされた旨の通知をする画面、出品情報画面５４は出品情報を表示する画面を示す図である。
【図１７】ユーザが操作する端末２への通知機能を示す図であり、通知画面５５は出品確認通知設定をオンにしており出品の確認を促す旨の通知をする画面、出品情報入力画面５６は出品を確定するための画面を示す図である。
【図１８】ユーザが操作するアプリケーションの画面を示す図であり、受取評価画面５７は購入商品を受け取った後にユーザの評価を入力する画面、受取評価完了画面５８は受取評価を完了し出品予約をするボタン５８Ａを含む画面を示す図である。
【図１９】ユーザが操作するアプリケーションの画面を示す図であり、出品情報入力画面５９は受取評価完了画面５８で出品予約をするボタン５８Ａを押下し遷移する画面を示す図である。
【図２０】マーケットを利用するユーザの個人画面を示す図であり、購入履歴一覧画面６０はユーザが購入した履歴の一覧表示する画面、出品予約一覧画面６１はユーザが出品予約した出品情報の一覧表示する画面を示す図である。
【図２１】マーケットを利用するユーザのトップ画面を示す図であり、トップ画面６２はアプリケーションを起動した場合に最初に表示される画面を示す図である。
【発明を実施するための形態】
【００２１】
以下、図面を参照して、本発明による出品装置を実施するための形態について説明する。
【００２２】
［実施形態１］
以下、本発明の実施形態を図に基づいて詳細に説明する。
【００２３】
図１に基づいて、任意の商品（マーケット上で購入していない商品を含む）の出品予約を可能とした例を実施形態１として説明する。
【００２４】
明細書中において、出品とは、マーケット上で商品を販売することをいい、その販売情報をマーケットに登録することを出品登録という。通常、ユーザが出品登録をすると同時に出品情報はマーケットに公開され第三者ユーザからの閲覧と購入が可能となる。出品予約とは、物品の管理権限を出品者ユーザに移譲し、商品の属性に応じて出品者ユーザの意思を反映して、任意の商品（マーケット上で購入していない商品を含む）を、任意の出品日に出品する出品予約登録機能をユーザの端末に付与し、サーバ側に出品日の期間管理を行う期間管理機能と、サーバ側に取引規制を解除する取引制御機能を付与することを意味する。販売を希望する商品があるが、すぐに出品できない、もしくは、出品しない場合の性質を物品の属性として用いている物品の例では、出品の予約とは、出品する日付である出品日を含む日付を設定した出品情報をマーケットに登録することで、設定した日付が到来するまでは、公開や取引は開始されず、設定した日付が到来した時点で出品を行うことになる。出品予約されている物品を購入した購入者ユーザがその購入物品を出品予約する場合の性質なども物品の属性に含まれるものである。要は、出品者ユーザに物品の出品に関する管理権限を付与して出品予約をするに適合する商品の性質を総称して物品の属性としている。
【００２５】
［構成］
図１は、本発明の実施形態１に係るシステム構成を示す図である。
【００２６】
図１において、出品装置１は、複数のユーザがそれぞれ所持する端末２と、端末２とサーバ３とを接続する通信網４と、通信網４を介して通信を受け付けて種々の設定・登録・管理等を行うサーバ３を有している。
【００２７】
通信網４は、公衆交換電話網（ＰＳＴＮ）、携帯電話網、ＩＰ電話網等であり、公衆交換電話網（ＰＳＴＮ）、携帯電話網は、ＩＰ電話網によって統合されてサーバ３の通信部３１に接続される。なお、通信網４は、これらに限定されるものではなく、ネットワークその他の通信網４として機能するものであればよい。
【００２８】
サーバ３は、通信網４を介して端末２と接続され、オークション、フリーマーケット等のオンラインマーケットの場を提供する。サーバ３は、通信網４との通信を行う通信部３１と、出品予約情報をデータベース３５へ登録する出品予約登録部３２と、設定された取引期間を管理し、前記期間が経過した出品情報をデータベース３５から取得し、解除信号を出力する期間管理部３３と、前記期間管理部が出力する前記解除信号を受けて対象となる出品の取引規制を解除する取引制御部３４と、各種設定等を格納するデータベース３５とを有する。
【００２９】
端末２は、スマートフォン、携帯電話、ＰＣ（Ｐｅｒｓｏｎａｌ  Ｃｏｍｐｕｔｅｒ）、タブレット等であり、通信網４との通信を行う通信部２１と、出品する商品の情報を入力するための商品情報入力部２２と、取引期間を設定する期間設定部２３と、商品情報入力部２２と期間設定部２３の情報をもとに出品予約登録を行う出品予約登録部２４とを有している。端末２は通信網４を介してサーバ３へ接続され、端末２に入力された出品予約登録情報は登録される。
【００３０】
なお、上記の構成は、端末２にダウンロード及びインストールするネイティブアプリの構成を例としているが、端末２の商品情報入力部２２、期間設定部２３、出品予約登録部２４をサーバ３へ搭載し、ＡＳＰ（Ａｐｐｌｉｃａｔｉｏｎ  Ｓｅｒｖｉｃｅ  Ｐｒｏｖｉｄｅｒ）サービスの構成としてもよい。
【００３１】
次に、本発明の実施形態１の動作を説明する。図１の構成において、図２に示されるステップで処理が実行される。出品者ユーザはマーケット上で、出品ボタンを押下し（図２のステップＳ１）、図１５に示される出品情報入力画面５１を表示する。次に出品情報入力画面５１で商品名、商品状態、販売価格を含む商品情報の入力を行い（図２のステップＳ２）、出品日を含む期間を設定する（図２のステップＳ３）。出品に必要な情報の入力及び設定完了後、出品するボタン５１Ａを押下し、出品予約登録を行う（図２のステップＳ４）。
【００３２】
サーバ３の期間管理部３３は、出品日が到来すると（図２のステップＳ５でＹｅｓ）解除信号を出力し（図２のステップＳ６）、取引規制を解除する（図２のステップＳ７）。出品日が到来しない場合には（図２のステップＳ５でＮｏ）、出品日が到来するまで期間管理を行う。ここに記載する「取引規制を解除する（図２のステップＳ７）」とは、図２のステップＳ３で出品日のみ期間設定を行っていた場合、マーケット上で出品予約登録をした商品が、出品されることを示す。従って、出品日が到来するまでは出品されず、第三者ユーザからの閲覧可能な出品一覧（図示せず）にも表示はされない。図２のステップＳ７において初めて出品され、取引可能な状態となる。
【００３３】
なお、出品情報を入力する画面構成は、出品情報入力画面５１に限定されるものではなく、出品に必要な情報を入力し、出品予約登録を行えるものであればよい。また、期間設定部２３で設定する期間は、出品者ユーザが設定してもよいし、サーバ側で５日後の日付を初期表示させる等の制御をかけてもよく、設定者は限定されない。
【００３４】
本発明の実施形態１によれば、前述の処理をすることにより、マーケット上での購入商品に限らず出品者ユーザの任意の商品を出品することができる。また、出品日を含む期間が設定されることにより、出品の予約を行うことができる。サーバ３の期間管理部３３が出品日を含む期間を管理し、取引制御部３４で取引を開始する（出品する）ため、出品者の意図を反映した出品予約を行うことができる。
【００３５】
以上の説明では、本発明をハードウエアとしての出品装置として構築したが、本発明は端末及びサーバのコンピュータ（ＣＰＵ）でメモリに記憶されたアプリケーションを実行することにより、ソフトウエア上に上述した商品情報入力部、期間設定部、出品予約登録部、期間管理部、取引制御部を構築するためのプログラムとして構築してもよいものである。
【００３６】
具体的には、本発明の実施形態において端末のコンピュータに実行させるプログラムは、端末で入力される商品情報をサーバで構成されるマーケット上に掲載して対象商品を出品するためのプログラムであって、前記端末のコンピュータに、対象商品の商品情報を入力する機能（商品情報入力部）と、対象商品の取引を規制する期間を設定する機能（期間設定部）と、を実行させる構成として構築する。
【００３７】
さらに、本発明の実施形態においてサーバのコンピュータに実行させるプログラムは、端末で入力される商品情報をサーバで構成されるマーケット上に掲載して対象商品を出品するためのプログラムであって、前記サーバのコンピュータに、前記端末で入力された出品情報を登録する機能（出品予約登録部）と、前記設定された期間を管理し、前記期間が経過した時点で解除信号を出力する機能（期間管理部）と、前記出力される前記解除信号を受けて対象商品の取引規制を解除する機能（取引制御部）と、を実行させることにより、端末側で取引規制された対象商品を前記マーケット上に出品する構成として構築する。
【００３８】
［実施形態２］
［構成］
実施形態１では、出品情報を入力し、出品予約登録をして取引を開始するまでの構成としたが、出品予約選択機能を付加した構成を図３及び図４を用いて実施形態２として以下に説明する。
【００３９】
明細書中において、出品予約選択とは、図３の端末２に構成される出品予約選択部２５で実行される機能であり、出品予約をするか否かの選択を行う選択部のことである。即ち「出品予約をする（出品予約選択オン）」、又は「出品をする（出品予約選択オフ）」を選択させて、出品予約又は出品を出品者ユーザに決定させる機能である。実施形態２では、図１５の出品情報入力画面５１の出品予約選択ボタン５１Ｂを出品予約選択部２５で実行される機能として例示している。
【００４０】
次に、本発明の実施形態２の動作を説明する。
【００４１】
出品者ユーザは実施形態１と同様に出品するボタンを押下し（図４のステップＳ１１）、図１５の出品情報入力画面５１を表示する。出品情報入力画面５１で商品情報を入力し（図４のステップＳ１２）、出品予約選択ボタン５１Ｂで「出品予約をする（出品予約選択オン）」、又は「出品をする（出品予約選択オフ）」を切り替えることにより、出品予約をするか否かの選択を行う（図４のステップＳ１３）。出品を希望する商品の場合（図４のステップＳ１３でＮｏ）、出品予約選択ボタン５１Ｂを「出品をする（出品予約選択オフ）」にして、出品日の設定は行わず、出品登録を行う（図４のステップＳ１６）。期間管理部３３は出品を判定し、解除信号を出力し（図４のステップＳ１８）取引規制を解除する（図４のステップＳ１９）。出品予約を希望する商品の場合（図４のステップＳ１３でＹｅｓ）、出品予約選択ボタン５１Ｂを「出品予約をする（出品予約選択オン）」にして、出品日を含む期間を設定し（図４のステップＳ１４）、出品予約登録を行う（図４のステップＳ１５）。出品予約登録を行った後の図４のステップＳ１５乃至ステップＳ１９は、実施形態１の図２のステップＳ４乃至ステップＳ７と同様の処理が行われる。
【００４２】
本発明によれば、前述の通り、出品予約登録及び出品登録を一つの画面で行うことができる。出品登録は従来のマーケットでも通常使用される出品手段であり、出品者ユーザは従来通りの手順で入力し、出品予約選択部２５で「出品予約選択オフ」にして出品することが可能である。出品予約登録を行う場合でも出品登録と同様に従来通りの手順で入力し、出品予約選択部２５で「出品予約選択オン」を選択し出品日を含む期間を設定させ、出品予約をすることが可能である。出品情報を入力するユーザインタフェース（ＵＩ）を「出品」と「出品予約」で統一させることで、出品者ユーザのユーザビリティを向上させた。なお、出品情報入力画面５１は一つの例であってチェックボックスを含む画面構成に限定されるものではなく、出品予約をするか否かの選択を可能とする出品予約選択部２５を有していればよい。
【００４３】
［実施形態３］
［構成］
実施形態２では、出品予約選択機能を有する構成としたが、端末２に出品予約掲示機能を付加した構成を図５及び図６を用いて実施形態３として以下に説明する。前記出品予約掲示機能とは、図５の端末２の出品予約掲示部２６で実行され、出品者ユーザの出品予約中の情報を掲示する画面を提供する機能である。
【００４４】
次に、本発明の実施形態３の動作を説明する。出品予約一覧ボタンを押下すると（図６のステップＳ２１）、図２０に示される出品予約一覧画面６１が表示される（図６のステップＳ２２）。
【００４５】
本発明によれば、端末２に出品予約掲示部２６を付加することで、出品者ユーザは自身の出品予約中の情報を確認して管理することが可能である。例えば、図２０の出品予約一覧画面６１を閲覧することで、自身の出品予約中の情報を一覧で閲覧し、出品商品や出品日等を把握するのも容易である。更に出品予約一覧画面６１の編集するボタン６１Ａを押下することで、出品予約情報を変更可能な画面、たとえば、図１５の出品情報入力画面５１、へ遷移することで出品予約情報の詳細を閲覧することができる。同時に修正を行うことも可能であり、出品者ユーザによる出品予約情報の管理を容易に行うことができる。
【００４６】
なお、出品予約掲示機能は、出品予約中の情報を確認できるものであればよく、掲示する方法及び画面構成は上記に限定されるものではない。
【００４７】
［実施形態４］
［構成］
実施形態１では、出品情報を入力し、出品予約登録をして取引を開始するまでの構成としたが、出品情報を公開して掲載する掲載機能を付加した構成を図７及び図８を用いて実施形態４として以下に説明する。
【００４８】
前記掲載機能を付加した構成を図７の機能ブロック図に記載しており、サーバ３には期間管理部３３が解除信号を出力した出品情報を公開して掲載する処理を行う掲載部３６と、端末２にはサーバ３の掲載部３６で処理された出品情報を掲載する端末掲載部２７とを付加した構成となっている。
【００４９】
本明細書中において、「公開」とは出品情報を第三者ユーザからの閲覧可能な状態とすることを示す。また、「公開日」とは上記の「公開」する日付のことであり、取引規制を解除し取引可能な状態とする出品及び出品日とは区別して記載する。
【００５０】
次に、本発明の実施形態４の動作を説明する。図７の端末２の期間設定部２３において、公開日及び出品日を其々設ける場合の処理をここでは説明する。
【００５１】
出品ボタンを押下し（図８のステップＳ３１）、公開日及び出品日の入力項目を含む出品情報入力画面（図示せず）を表示する。次に商品名、商品状態、販売価格を含む商品情報の入力を行う（図８のステップＳ３２）。公開日及び出品日の期間を設定し（図８のステップＳ３３）、出品予約登録（図８のステップＳ３４）完了後、期間管理部３３は公開日が到来すると（図８のステップＳ３５でＹｅｓ)、解除信号を出力し（図８のステップＳ３６）、出品情報を公開する（図８のステップＳ３７）。公開日が到来していない場合には（図８のステップＳ３５でＮｏ）、公開日が到来するまで期間管理を行う。次に、期間管理部３３は出品日が到来すると（図８のステップＳ３８でＹｅｓ）、解除信号を出力し（図８のステップＳ３９）、取引規制を解除する（図８のステップＳ４０）。出品日が到来していない場合には（図８のステップＳ３８でＮｏ）、出品日が到来するまで期間管理を行う。
【００５２】
本発明によれば、公開日を出品日とは別に設けることにより、出品し取引が開始されるより前に出品情報を公開することができる。公開日と出品日をずらすことにより購買意欲を促すことが可能である。例えば、図２１のトップ画面６２の新着出品情報欄に、「もうすぐ出品される話題の商品」として、公開日が到来した出品予約情報を掲示してもよいし、通常の購入を検討する第三者ユーザが閲覧する出品一覧画面（図示せず）に出品予約品として掲載してもよい。なお、公開日を迎えた出品予約情報を掲載する方法は上記に制限されるものではない。
【００５３】
また、図８では、出品日だけでなく公開日も出品者ユーザに設定させて、出品日前に公開して掲載する方法を述べたが、例えば、出品者ユーザには出品日のみを設定させて、出品日の前日にトップ画面６２の新着出品情報欄に「もうすぐ出品される話題の商品」として公開し表示するのでもよい。
【００５４】
従来技術では、公開されると同時に取引が開始される単純な出品という形態をとっていたが、本実施形態４に記載する期間設定で公開日と出品日を其々設定する場合、先に公開して後日取引を開始する、公開と出品という二つの形態をとることが可能となり、出品の形態を拡充することができ、出品者は物品の属性に適合する形態を選択して出品を行うことができることになる。
【００５５】
なお、出品より先に公開のみを行うことの効果を更に以下に記載する。
【００５６】
従来技術では公開されると同時に取引が開始されるため、先着順で購入する形式のマーケットでは、人気の高い出品商品は出品と同時に購入され出品終了となることも多く、マーケットの閲覧回数が少ないユーザは、購入が難しかったが、実施形態４では、取引開始前の出品予約情報を公開により閲覧可能とすることで、ウィンドウショッピングのような時間を確保することができ、マーケットの閲覧回数が少ないユーザでも出品予約商品の出品日を確認し出品日到来と同時にマーケットに参加することで、購入できる可能性を上げることができる。また、購入を希望する商品を「お気に入り」登録等して購入漏れを防いでもよい。なお、本明細書中に記載する「お気に入り」登録とは、従来のマーケットに散見する手法と同様又は類するものであり、マーケット上で購入を検討する出品情報を自身のユーザＩＤと紐付けて登録し蓄積しておくことができる機能のことを指す。ユーザは「お気に入り」登録をしておけば、いつでも自身のお気に入り一覧機能（図示せず）から購入を検討する出品情報を確認することが可能である。
【００５７】
以上が、購入者ユーザを含むマーケットのユーザにもたらされる効果のうちの一つであり、更に出品者ユーザにもたらされる効果を以下に記載する。
【００５８】
マーケット上で出品商品の一覧を表示する出品一覧画面（図示せず）の表示順序は、サイト運営者によって異なり、また、ユーザ自身で設定させる場合等様々であるが、そのうちの一つとして出品順（降順）がある。出品者ユーザは出品商品が出品直後に購入されない場合、徐々に表示順序が下がり、自身の出品情報は画面下部、もしくは２頁目以降に表示され、出品日から日数が経過すればするほど閲覧及び購入がされづらくなるという問題点があった。しかしながら、前記公開中の出品予約情報に対する「お気に入り」登録を可能とすることで、出品者ユーザ側も自身の出品商品に対する「お気に入り」登録数を把握することができ、第三者ユーザからの需要の程度を予測することができる。「お気に入り」登録数に応じて、出品前に、出品者ユーザは販売価格を含む商品情報を変更することで、商品価値にあった出品情報にすることが可能であり、より出品者ユーザの意図を反映した出品を行うことができる。
【００５９】
本実施形態４は出品情報を公開して掲載するものであればよく、方法及び画面構成は上記に限定されるものではない。
【００６０】
［実施形態５］
［構成］
実施形態４では、出品情報を公開して掲載する掲載部３６と端末掲載部２７とを有する構成としたが、実施形態５では、前記掲載部３６と端末掲載部２７が有する通知機能の構成を図７及び図９を用いて以下に説明する。
【００６１】
本明細書中において、「通知機能」とは出品情報が公開される事実をユーザに通知する機能のことを示す。公開日が設定されている場合には公開日到来時、出品日が設定されている場合には出品日到来時、その他図７のサーバ３の期間管理部３３が管理する期間到来時に掲載部３６が通知内容を作成し、端末２の端末掲載部２７へ通知を行う。
【００６２】
なお、通知機能を実行させる前提として、掲載部３６の中の通知設定において、出品確認通知設定を行う（図示せず）。本明細書中において出品確認通知設定とは、出品日が到来した際に出品者ユーザへの出品確認を必要とするかの設定とする。出品確認を必要としない設定の場合には、出品日到来と同時に出品され、取引が開始される。これを「自動出品」と記載する。出品確認を必要とする設定の場合には、出品日が到来しても出品されず、出品者ユーザに再度図１５の出品情報入力画面５１の出品するボタン５１Ａを押下させて出品する。これを「確認出品」と記載する。出品確認通知設定の機能は出品情報入力画面５１へ付加して（図示せず）出品情報単位で設定させてもよいし、ユーザの個人管理画面（図示せず）における出品確認通知設定項目を設けてユーザ単位で設定させてもよい。本実施形態５を実施するための通知内容をサーバ３の掲載部３６が判定できればよく、設定する画面及び方法は限定されない。
【００６３】
次に、本発明の実施形態５の動作を図９を用いて説明する。
【００６４】
出品ボタンを押下し（図９のステップＳ４１）、出品確認通知設定の入力項目を含む出品情報入力画面（図示せず）を表示する。次に商品名、商品状態、販売価格を含む商品情報の入力を行う（図９のステップＳ４２）。出品日を含む期間を設定し（図９のステップＳ４３）、出品確認通知の設定をして（図９のステップＳ４４）、出品予約登録をする（図９のステップＳ４５）。サーバ３の期間管理部３３は出品日が到来すると（図９のステップＳ４６でＹｅｓ）、解除信号を出力（図９のステップＳ４７）する。出品日が到来していない場合には（図９のステップＳ４６でＮｏ）、出品日が到来するまで期間管理を行う。解除信号が出力さると出品確認通知設定をオフにしている場合（自動出品）（図９のステップＳ４８でＮｏ）、図１６に示される通り、出品された旨の通知を端末２に対して行う（図９のステップＳ４９）。同時に取引規制は解除され（図９のステップＳ５４）出品される。端末２の通知画面５３の通知５３Ａを押下すると出品情報画面５４が表示され、自身の出品情報を確認させるようにしてもよい。出品確認通知設定をオンにしている場合（確認出品）（図９のステップＳ４８でＹｅｓ）、図１７に示される通り、端末２に対して出品日が到来した旨の通知を行う（図９のステップＳ５０）。端末２の通知画面５５の通知５５Ａを押下すると出品情報入力画面５６が表示され、ユーザが出品を行う場合には（図９のステップＳ５１でＹｅｓ）、出品するボタン５６Ａを押下することにより（図９のステップＳ５２）、取引規制は解除され（図９のステップＳ５４）出品される。なお、出品情報入力画面５６で出品するボタン５６Ａ押下（図９のステップＳ５２）前に、商品名、商品状態、販売価格を含む商品情報の変更を行えるものとする。
【００６５】
出品をしない場合には（図９のステップＳ５１でＮｏ）、キャンセル処理を行う（図９のステップＳ５３）。キャンセル処理とは、単に出品するボタン５６Ａを押下しない状態で画面を閉じて出品を保留とする場合、出品情報を削除する場合（図示せず）、出品情報入力画面５６にて出品日を未来日付に変更して再度出品予約とした場合等が含まれる。
【００６６】
既に出品することを決定している出品者ユーザは出品確認通知設定をオフ（自動出品）にしておくことで、出品日到来と同時に自動的に出品することが可能となる。出品を予定してはいるが、確認を必要とする出品者ユーザは、出品確認通知設定をオン（確認出品）にしておけば、出品日が到来しても出品は行われない。本通知機能により、設定した期間到来時の通知が行われるだけでなく、出品者ユーザによる出品の制御が可能である。
【００６７】
なお、本実施形態５では、図１６に示す通知画面５３、図１７に示す通知画面５５を図示しているが、通知機能は画面表示だけでなく、例えばメール等で行ってもよく、上記に限定されるものではない。
【００６８】
また、本実施形態５では、出品日に対する通知機能を記載しているが、実施形態４のように公開日を設定した場合には、公開日が到来した際に通知を行ってもよい。
【００６９】
また、実施形態４に記載した「お気に入り」登録を行っているようなマーケットの場合には、「お気に入り」登録をしているユーザへ出品される旨の通知を行ってもよく、通知を受けるユーザは出品者ユーザに限定されない。
【００７０】
［実施形態６］
［構成］
実施形態１では、出品情報を入力し、出品予約登録をして取引を開始するまでの構成としており、出品日を含む期間の設定者を限定していなかったが、実施形態６では、期間設定を出品者ユーザが行うものとする。出品者ユーザに出品日を含む期間を設定させることにより、出品者ユーザ側に期間の管理権限が明示的に付与され、設定した期間が到来するまで出品者ユーザが出品情報を管理する機能を付加した構成を図１及び図１０を用いて以下に説明する。
【００７１】
次に、本発明の実施形態６の動作を説明する。
【００７２】
実施形態１に記載する図２のステップＳ１乃至ステップＳ２と同様に、出品者ユーザはマーケット上で、出品ボタンを押下し（図１０のステップＳ６１）、図１５の出品情報入力画面５１を表示して、商品名、商品状態、販売価格を含む商品情報の入力を行う（図１０のステップＳ６２）。次に、出品者ユーザが出品日を含む期間を設定し（図１０のステップＳ６３）、出品予約登録を行う（図１０のステップＳ６４）。出品情報は出品者ユーザにより随時変更可能であり、出品情報を変更する場合には（図１０のステップＳ６５でＹｅｓ）、図２０の出品予約一覧画面６１に掲示される出品予約一覧から該当する出品予約を選択し、編集するボタン６１Ａを押下することにより再度出品情報の変更が可能である（図１０のステップＳ６２）。出品情報を変更しない場合には（図１０のステップＳ６５でＮｏ）、何も処理を行う必要はなく、期間管理部３３は出品日が到来すると（図１０のステップＳ６６でＹｅｓ)、解除信号を出力し（図１０のステップＳ６７）、出品情報を公開する（図１０のステップＳ６８）。出品日が到来していない場合には（図１０のステップＳ６６でＮｏ）、出品日が到来するまで期間管理を行う。
【００７３】
なお、図１０では出品日到来まで出品情報の変更が随時可能となっているが、出品日が到来し、取引規制が解除された（図１０のステップＳ６８）後でも、第三者ユーザによる購入が確定するまでは、随時変更が可能である。取引規制が解除される前と解除された後で、出品情報の変更可能な項目は同じでもよいし、制限をかけてもよい。また、商品名をＩＳＢＮコードやＪＡＮコード等を使用するマーケットでは、商品名の変更を不可とさせてもよく、変更可能な項目はサイト運営者が自由に決定できるものとする。
【００７４】
図１５の出品情報入力画面５１では、日付の入力とさせているが、時刻まで出品者ユーザに入力させてもよく、サイト運営者が自由に決定できるものとする。
【００７５】
出品者ユーザによる期間設定を可能とすることで、出品者ユーザ側で出品日を含む期間を制御することができる。例えば、出品者ユーザは出品予約商品と同一の商品が、既にマーケット上に多数出品されている場合、出品日をずらして出品数が少なくなったタイミングで出品させる、といった使い方をしてもよい。この場合、出品との違いは、出品予約をしておくことで出品漏れを防ぎながら、出品者ユーザの希望する日付に出品させることが可能であることである。
【００７６】
また、既に出品された商品が第三者ユーザにより購入されない場合に、出品者ユーザは商品名を変更して検索し易くしたり、販売価格を下げたりすることも可能である。
【００７７】
また、出品予約登録日から出品日までの間に、テレビ等のメディアで出品商品と同一の商品が宣伝され商品価値が上がったと出品者ユーザが判断した場合に、出品日を早めたり、販売価格を変更したりすることが可能である。その場合、同一商品が宣伝される番組の終了時刻に合わせて、出品予約をしておくことで、一番検索される時間帯に出品させる、といった使用も可能である。同時に、検索キーワードとなる商品名を番組で強調されていた名称と揃えたり、商品状態をその商品に沿った形式で入力したりといった出品情報も併せて変更することで、より出品者ユーザの意向に沿う形式での出品予約が可能である。
【００７８】
［実施形態７］
［構成］
実施形態１では、出品情報を入力し、出品予約登録をして取引を開始するまでの構成としたが、購入履歴の商品情報を転用して初期表示させて出品予約を行う機能を付加した構成を図１１及び図１２を用いて実施形態７として以下に説明する。
【００７９】
本明細書中において、「購入履歴」とはマーケット上の商品を購入した履歴を示す。「購入履歴」には、出品情報を一意に特定する情報と、商品名及び商品状態を含む商品情報と購入価格が含まれる。前記購入履歴を取得して、データベース３５へ格納して蓄積するための購入情報取得部３７をサーバ３に付加する構成を図１１に示している。
【００８０】
次に、本発明の実施形態７の動作を説明する。
【００８１】
購入者ユーザがマーケット上の商品の購入処理を完了する（図１２のステップＳ７１）。前記購入処理とは、マーケット上で出品されている商品を購入する際、購入者ユーザが支払方法、送付先等を含む購入する際に必要となる情報を入力し、購入を確定させることを指す。購入が確定されると、出品者ユーザへ購入がされた旨の通知がなされる。購入代金の受取と支払をサイト運営者が代行する形態の場合、購入者ユーザの支払状況はサイト運営者が管理を行っているため、支払が確認されるとサイト運営者は速やかに出品者ユーザへ通知し商品の発送を促し、出品者ユーザは出品商品の発送を行う。商品が購入者ユーザのもとへ到着し、商品を受け取ると（図１２のステップＳ７２）、図１８の受取評価画面５７にて受取評価を行う（図１２のステップＳ７３）。受取評価が完了すると受取評価完了画面５８が表示される。購入した商品の出品を希望しない場合（図１２のステップＳ７４でＮｏ）、受取評価完了画面５８を終了し（図１２のステップＳ７６）出品予約は行わない。購入した商品の出品を希望する場合（図１２のステップＳ７４でＹｅｓ）は、出品予約をするボタン５８Ａを押下し（図１２のステップＳ７５）、図１９の出品情報入力画面５９を表示する。出品情報入力画面５９には、商品名、商品状態を含む購入情報が転用して初期表示され、購入者である出品者ユーザは商品情報の変更箇所を修正する（図１２のステップＳ７７）。出品日を含む期間を設定し（図１２のステップＳ７８）、出品予約登録をする（図１２のステップＳ７９）。出品予約登録を行った後の図１２のステップＳ７９乃至ステップＳ８２は、実施形態１の図２のステップＳ４乃至ステップＳ７と同様の処理が行われる。
【００８２】
なお、上記には購入代金の受取と支払をサイト運営者が出品者ユーザと購入者ユーザとを代行する形態での購入処理を説明しているが、購入代金の授受を出品者ユーザと購入者ユーザの二者間で行う場合には工程が異なる場合も存在する。しかしながら、購入処理はどのように行われてもよく、限定されない。
【００８３】
本発明によれば、購入履歴の商品情報を転用することで購入者である出品者ユーザは、商品情報の一部の入力を省略して出品予約することが可能である。購入者である出品者ユーザは、受取済みの商品を確認し、商品名及び商品状態を含む商品情報に変更が無ければ、購入履歴の商品情報からの転用した情報をそのまま使用して、販売価格も必要に応じて変更すればよい。購入者である出品者ユーザは出品日を含む期間設定のみを行えばよい。なお、上記には商品情報の変更箇所を修正する画面として、出品情報入力画面５９を例として挙げているが、本実施形態７は既に受取済みの商品も出品対象としているため、購入者である出品者ユーザが希望すれば、出品も可能である。従って、出品予約選択部２５を含む図１７の出品情報入力画面５６に置き換えて、出品予約又は出品を選択させてもよい。
【００８４】
また、実施形態４に記載した「お気に入り」登録を行っているようなマーケットの場合には、購入者ユーザが購入した商品の「お気に入り」登録者数をサイト運営者は把握しているため、図１８の受取評価完了画面５８に「この商品は５０人からお気に入り登録されていました。再出品しませんか。」等の文言を表示させて、購入者ユーザに対して出品を促してもよい。購入者ユーザは商品の需要をはかる一つの材料として、出品予約をしてもよく、また販売価格の検討材料としてもよい。
【００８５】
本実施形態７では、購入商品の受取評価完了画面５８から直接、出品情報入力画面５９へ画面遷移するため、購入者ユーザは一連の流れで出品することができる。なお、購入履歴からの出品予約は受取評価完了画面５８からのみでなく、図２０の購入履歴一覧画面６０からも出品予約することが可能である。
【００８６】
ただし、本実施形態７では、マーケット上で購入した商品の受取完了後の出品予約を想定して記載しているが、購入処理を完了させる購入処理完了画面（図示せず）から出品を行わせる仕組みとしてもよく、サイト運営者により決定されるものとする。
【００８７】
なお、上記は同一マーケット上から購入した商品の出品形態の説明であるが、別のマーケット（個人間取引サイトに限らない）の購入履歴の商品情報を使用する形態を以下に記載する。
【００８８】
サイト運営者が同一である場合、マーケット間で購入履歴を含む会員情報を共有し、複数のマーケットで購入した情報を集約して図２０の購入履歴一覧画面６０をユーザに提供することが可能である。ユーザは出品するボタン６０Ａを押下し、出品するマーケットを選択して（図示せず）、図１５の出品情報入力画面５１から出品又は出品予約をすることができる。なお、出品するマーケットはサイト運営者が設定、又は限定してもよく、設定者は出品者ユーザに限定されない。
【００８９】
上記にサイト運営者が同一である場合の説明を記載しているが、サイト運営者が異なる場合でも、本発明の利用が可能である。例えば、他のサイト運営者の提供するＡＰＩ（Ａｐｐｌｉｃａｔｉｏｎ  Ｐｒｏｇｒａｍｍｉｎｇ  Ｉｎｔｅｒｆａｃｅ）を利用して会員情報を取得可能な場合、他のサイトで商品を購入した購入履歴を、本発明を利用するサイト運営者が取得して、前記購入履歴に含まれる商品情報を取得し、それを転用して、出品予約を行うことができる。なお、ＡＰＩを利用して会員情報を取得する場合に限らず、商品情報を含む購入履歴を取得できればよく、取得方法は限定されない。
【００９０】
従来技術では、例えば、フリーマーケット形式のマーケットで購入した本を、本専門で取り扱うマーケットで出品する、といった場合に、購入処理完了後、別のマーケットを起動して、出品ボタンを押下し、商品情報を含む出品情報を最初から入力して出品する、といったように、購入から出品に至るまでの手順が多かった。しかしながら、本発明を利用すれば、上記記載の通り、商品情報の一部の入力を省略するだけでなく、更に別のマーケットの起動を含む一部手順を省略して出品することが可能となり、より、出品者ユーザの意図に沿った出品形態を提供することができる。
【００９１】
本実施形態７は、購入履歴の商品情報を転用するものであり、それを含む機能であれば、上記画面及び方法に限定しない。
【００９２】
［実施形態８］
［構成］
実施形態１では、出品情報を入力し、出品予約登録をして取引を開始するまでの構成としたが、出品予約に対する報酬としてポイントを付与するポイント付与機能を付加した構成を図１３及び図１４を用いて実施形態８として以下に説明する。ポイント付与機能を処理するポイント付与部３８をサーバ３に付加した構成を図１３に示している。
【００９３】
本明細書中において、「ポイント」とは、従来のマーケットに散見する手法と同様又は類するものであり、現金の代わりに使用可能となるものや、特定の商品やサービスとの交換に使用されるもの等、サイト運営者によりポイントの内容は決定される。マーケット利用者はポイントを貯めてサイト運営者の規定する用途に使用する。
【００９４】
次に、本発明の実施形態８の動作を説明する。
【００９５】
図１４のステップＳ９１乃至ステップＳ９４は、実施形態１の図２のステップＳ１乃至ステップＳ４と同様に処理が行われ、出品日が到来し（図１４のステップＳ９５でＹｅｓ）、解除信号が出力され（図１４のステップＳ９６）、取引規制が解除された（図１４のステップＳ９７）後、ポイントが付与される（図１４のステップＳ９８）。出品日が到来しない場合には（図１４のステップＳ９５でＮｏ）、出品日が到来するまで期間管理を行う。
【００９６】
本発明によれば、出品予約登録を行い、出品が開始された段階でポイントを付与することにより、マーケットのユーザに対して出品を促すことが可能である。例えば、イベントをサイト運営者が開催して、２月７日から１４日までに出品をすればポイントが付与されるような場合、購入者ユーザの商品受取が１４日午前になることが見込まれるが、ポイントを目的として１４日中の出品を希望する場合、１４日の１３時に出品日を設定した出品予約を先にしておき、商品を受け取った直後に状態を確認して商品情報を変更した後出品するといった使用も可能である。この場合、出品予約をしておくことで、１３時が到来した時点で通知を受け取ることで出品漏れを防ぐことが可能である。商品の到着が遅れた場合でも、遅れが判明した時点で出品予約情報の出品日時を、例えば、１４日の２３時に再度設定することで、出品漏れを防ぐことができ、１４日中に出品することが可能となる。出品者ユーザは出品と同時にポイントを獲得することができる。
【００９７】
なお、ポイントを付与するタイミングは出品予約のみに限定されるものでなく、従来のマーケットに散見する手法と同様に、サイト運営者の意図するタイミングで付与すればよい。
【００９８】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００９９】
１      出品装置
２      端末
２１    通信部
２２    商品情報入力部
２３    期間設定部
２４    出品予約登録部
２５    出品予約選択部
２６    出品予約掲示部
２７    端末掲載部
３      サーバ
３１    通信部
３２    出品予約登録部
３３    期間管理部
３４    取引制御部
３５    データベース
３６    掲載部
３７    購入情報取得部
３８    ポイント付与部
４      通信網
５１、５６、５９  出品情報入力画面
５１Ａ  出品するボタン
５１Ｂ  出品予約選択ボタン
５２    出品完了画面
５３、５５  通知画面
５３Ａ、５５Ａ  通知
５４    出品情報画面
５６Ａ  出品するボタン
５７    受取評価画面
５８    受取評価完了画面
５８Ａ  出品予約をするボタン
６０    購入履歴一覧画面
６０Ａ  出品するボタン
６１    出品予約一覧画面
６１Ａ  編集するボタン
６２    トップ画面
【図１】
2018147298.tif 000003
【図２】
2018147298.tif 000004
【図３】
2018147298.tif 000005
【図４】
2018147298.tif 000006
【図５】
2018147298.tif 000007
【図６】
2018147298.tif 000008
【図７】
2018147298.tif 000009
【図８】
2018147298.tif 000010
【図９】
2018147298.tif 000011
【図１０】
2018147298.tif 000012
【図１１】
2018147298.tif 000013
【図１２】
2018147298.tif 000014
【図１３】
2018147298.tif 000015
【図１４】
2018147298.tif 000016
【図１５】
2018147298.tif 000017
【図１６】
2018147298.tif 000018
【図１７】
2018147298.tif 000019
【図１８】
2018147298.tif 000020
【図１９】
2018147298.tif 000021
【図２０】
2018147298.tif 000022
【図２１】
2018147298.tif 000023